(57)【特許請求の範囲】
【請求項１】
情報の記録および再生を行う記録再生装置であって、
前記記録再生装置の外部より第１情報を取得する取得手段と、
前記取得手段により取得された前記第１情報を第１記録媒体に記録し、かつ、前記第１情報のコピーである第２情報を第２記録媒体に記録する情報記録手段と、
前記第１情報および前記第２情報のいずれか一方が有効であり他方が無効であることを示す管理データを記録するための管理データ記録領域と、
前記第１情報および前記第２情報が前記情報記録手段により記録されるとき、前記第１情報が有効であり前記第２情報が無効であることを示す管理データを作成し、前記管理データ記録領域に記録する管理データ記録手段と、
前記第１記録媒体に前記第１情報が記録されており、前記第２記録媒体に前記第２情報が記録されており、前記管理データ記録領域に前記管理データが記録されている場合において、前記第１記録媒体に記録されている前記第１情報を前記第２記録媒体にダビングすることを要求するダビング指示を受け付ける受付手段と、
前記受付手段が前記ダビング指示を受け付けた場合、前記管理データ記録手段に、前記第１情報が無効であることを示すように前記管理データを更新させることで前記第１情報を無効化する無効化手段と
前記受付手段が前記ダビング指示を受け付けた場合、前記管理データ記録手段に、前記第２情報が有効であることを示すように前記管理データを更新させることで前記第２情報を有効化する有効化手段と
を備える記録再生装置。
【請求項２】
さらに、前記取得手段に取得された前記第１情報の属性情報と、前記第２記録媒体に記録されている情報の属性情報とが一致するか否かを判定する判定手段を備え、
前記情報記録手段は、前記判定手段により、前記第１情報の属性情報と、前記第２記録媒体に記録されている情報の属性情報とが一致すると判定された場合、前記第２記録媒体に前記第２情報を記録する
請求項１記載の記録再生装置。
【請求項３】
前記受付手段はさらに、前記無効化手段により前記第１情報が無効化され、かつ、前記有効化手段により前記第２情報が有効化された後に、前記第２記録媒体に記録されている前記第２情報を前記第１記録媒体にダビングすることを示す再ダビングを指示する再ダビング指示を受け付け、
前記無効化手段はさらに、前記受付手段が前記再ダビング指示を受け付けた場合、前記管理データ記録手段に、前記第２情報が無効であることを示すように前記管理データを更新させることで前記第２情報を無効化し、
前記有効化手段はさらに、前記受付手段が前記ダビング指示を受け付けた場合、前記管理データ記録手段に、前記第１情報が有効であることを示すように前記管理データを更新させることで前記第１情報を有効化する
請求項１記載の記録再生装置。
【請求項４】
さらに、前記第１情報のフォーマットを前記フォーマット以外のフォーマットに変換することで第２情報を生成する第２情報生成手段を備え、
前記情報記録手段は、前記第２情報生成手段により生成された前記第２情報を前記第２記録媒体に記録する
請求項１記載の記録再生装置。
【請求項５】
前記第２情報生成手段は、前記第２情報を生成する際、前記第１情報のフォーマットを前記フォーマット以外の不可逆なフォーマットに変換することにより前記第２情報を生成する
請求項４記載の記録再生装置。
【請求項６】
前記第２情報生成手段は、前記第１情報のフォーマットを、前記第２記録媒体の追加記録が可能な容量である空き容量に応じたフォーマットに変換する
請求項４記載の記録再生装置。
【請求項７】
さらに、前記第１情報のビットレートを前記ビットレート以外のビットレートに変換することで第２情報を生成する第２情報生成手段を備え、
前記情報記録手段は、前記第２情報生成手段により生成された前記第２情報を前記第２記録媒体に記録する
請求項１記載の記録再生装置。
【請求項８】
前記第２情報生成手段は、前記第２情報を生成する際、前記第１情報のビットレートを前記ビットレートより低いビットレートに変換することで不可逆な第２情報を生成する
請求項７記載の記録再生装置。
【請求項９】
前記第２情報生成手段は、前記第１情報のビットレートを、前記第２記録媒体の追加記録が可能な容量である空き容量に応じたビットレートに変換する
請求項７記載の記録再生装置。
【請求項１０】
さらに、前記第２情報が無効であることを示す管理データが前記管理データ記録領域に記録されているか否かを確認することで、前記第２記録媒体に前記第２情報が記録されているか否かを確認する第２記録領域確認手段を備え、
前記第２記録領域確認手段が、前記第２データが無効であることを示す管理データが前記管理データ記録領域に記録されていることを確認することで、前記第２記録媒体に前記第２情報が記録されていると確認した場合、前記有効化手段に前記第２情報を有効化させる
請求項１記載の記録再生装置。
【請求項１１】
さらに、前記第２情報の容量を検出する容量検出手段と、
前記容量検出手段により検出された前記第２情報の容量と、前記第２記録媒体の追加記録が可能な容量である空き容量とを比較する比較手段とを備え、
前記情報記録手段は、前記比較手段が比較した結果、前記第２情報の容量が前記空き容量以下である場合、前記第２情報を前記第２記録媒体に記録する
請求項１記載の記録再生装置。
【請求項１２】
さらに、前記第１情報の容量を検出する容量検出手段と、
前記容量検出手段により検出された前記第１情報の容量と、前記第２記録媒体の追加記録が可能な容量である空き容量とを比較する比較手段と、
前記比較手段が比較した結果、前記第１情報の容量が、前記空き容量を越える場合、前記第２情報の容量が前記空き容量以下となるように、前記第１情報のフォーマットおよびビットレートの少なくとも１つを異なるフォーマットおよびビットレートの少なくとも１つに変換することで第２情報を生成する第２情報生成手段とを備え、
前記情報記録手段は、第２情報生成手段により生成された前記第２情報を前記第２記録媒体に記録する
請求項１記載の記録再生装置。
【請求項１３】
さらに、前記受付手段が前記ダビング指示を受け付けた場合、前記第１情報を削除もしくは加工する、または前記第１記録媒体が有する、前記第１記録媒体内の情報を管理する管理情報を削除もしくは加工することにより、前記第１情報を再生不能化する再生不能化手段を備える
請求項１記載の記録再生装置。
【請求項１４】
さらに、
前記第１記録媒体を保持する第１保持手段と、
前記第２記録媒体を保持する第２保持手段と、
前記第２記録媒体を前記第２保持手段から前記記録再生装置の外部に排出することを要求する排出指示を検出する排出指示検出手段と、
前記排出指示検出手段が、前記排出指示を検出した場合、前記第２記録媒体に記録されており、かつ、無効化されている前記第２情報を削除もしくは加工する、または前記第２記録媒体が有する、前記第２記録媒体内の情報を管理する管理情報を削除もしくは加工することにより、前記第２情報を再生不能化する再生不能化手段と、
前記再生不能化手段が前記第２情報を再生不能化した後に、前記第２記録媒体を前記第２保持手段から前記記録再生装置の外部に排出する排出手段と
を備える請求項１記載の記録再生装置。
【請求項１５】
さらに、前記排出指示検出手段が、前記排出指示を検出した場合、前記第２記録媒体に記録されており、かつ、無効化されている前記第２情報に対応する第１情報を、前記第２記録媒体に記録するか否かをユーザに確認する記録確認手段を備え、
前記再生不能化手段は、（ａ）前記記録確認手段により、前記第１情報を前記第２記録媒体に記録すると確認された場合、前記第１情報を削除もしくは加工する、または前記第１記録媒体が有する、前記第１記録媒体内の情報を管理する管理情報を削除もしくは加工することにより、前記第１情報を再生不能化し、（ｂ）前記記録確認手段により、前記第１情報を前記第２記録媒体に記録しないと確認された場合、前記第２情報を再生不能化し、
前記排出手段は、前記再生不能化手段が前記第１情報または前記第２情報を再生不能化した後に、前記第２記録媒体を前記第２保持手段から前記記録再生装置の外部に排出する
請求項１４記載の記録再生装置。
【請求項１６】
さらに、前記再生不能化手段が前記第２情報を再生不能化するために行う処理内容を記録する処理内容記録手段と、
前記排出手段により排出された前記第２記録媒体が、前記第２保持手段に再び保持された後、前記処理内容に基づき、再生不能化されている前記第２情報を再生可能化する再生可能化手段と
を備える請求項１４記載の記録再生装置。
【請求項１７】
情報の記録および再生を行う記録再生装置であって、
前記記録再生装置の外部より第１情報を取得する取得手段と、
第１記録領域と第２記録領域とを有する一つの記録媒体と、
前記取得手段により取得された前記第１情報を前記第１記録領域に記録し、前記第１情報のコピーである第２情報を前記第２記録領域に記録する情報記録手段と、
前記第１情報および前記第２情報のいずれか一方が有効であり他方が無効であることを示す管理データを記録するための管理データ記録領域と、
前記第１情報および前記第２情報が前記情報記録手段により記録されるとき、前記第１情報が有効であり前記第２情報が無効であることを示す管理データを作成し、前記管理データ記録領域に記録する管理データ記録手段と、
前記第１記録領域に前記第１情報が記録されており、前記第２記録領域に前記第２情報が記録されており、前記管理データ記録領域に前記管理データが記録されている場合において、前記第１記録領域に記録されている前記第１情報を前記第２記録領域にダビングすることを要求するダビング指示を受け付ける受付手段と、
前記受付手段が前記ダビング指示を受け付けた場合、前記管理データ記録手段に、前記第１情報が無効であることを示すように前記管理データを更新させることで前記第１情報を無効化する無効化手段と、
前記受付手段が前記ダビング指示を受け付けた場合、前記管理データ記録手段に、前記第２情報が有効であることを示すように前記管理データを更新させることで前記第２情報を有効化する有効化手段と、
前記記録媒体を保持する保持手段と、
前記記録媒体を前記保持手段から前記記録再生装置の外部に排出することを要求する排出指示を検出する排出指示検出手段と、
前記排出指示検出手段が、前記排出指示を検出した場合、前記記録媒体に記録されており、かつ、無効化されている前記第２情報を削除もしくは加工する、または前記第２記録媒体が有する、前記第２記録媒体内の情報を管理する管理情報を削除もしくは加工することにより、前記第２情報を再生不能化する再生不能化手段と、
前記再生不能化手段が前記第２情報を再生不能化した後に、前記記録媒体を前記保持手段から前記記録再生装置の外部に排出する排出手段と
を備える記録再生装置。
【請求項１８】
前記第１情報のフォーマットおよびビットレートの少なくとも１つと、前記第２情報のフォーマットおよびビットレートの少なくとも１つとは異なっており、
前記記録再生装置は、さらに、前記排出指示検出手段が、前記排出指示を検出した場合、前記記録媒体に記録されており、かつ、無効化されている前記第２情報に対応する第１情報を、前記第２情報と同一フォーマットおよびビットレートの少なくとも１つに変換するか否かをユーザに確認する記録確認手段を備え、
前記再生不能化手段は、（ａ）前記記録確認手段により、前記第１情報を前記第２情報と同一フォーマットおよびビットレートの少なくとも１つに変換すると確認された場合、前記第１情報を削除もしくは加工する、または前記第１記録媒体が有する、前記第１記録媒体内の情報を管理する管理情報を削除もしくは加工することにより、前記第１情報を再生不能化し、（ｂ）前記記録確認手段により、前記第１情報を前記第２情報と同一フォーマットおよびビットレートのいずれにも変換しないと確認された場合、前記第２情報を削除もしくは加工する、または前記第２記録媒体が有する、前記第２記録媒体内の情報を管理する管理情報を削除もしくは加工することにより、前記第２情報を再生不能化し、
前記排出手段は、前記再生不能化手段が前記第１情報または前記第２情報を再生不能化した後に、前記記録媒体を前記保持手段から前記記録再生装置の外部に排出する
請求項１７記載の記録再生装置。
【請求項１９】
さらに、前記再生不能化手段が前記第２情報を再生不能化するために行う処理内容を記録する処理内容記録手段と、
前記排出手段により排出された前記記録媒体が、前記保持手段に再び保持された後、前記処理内容に基づき、再生不能化されている前記第２情報を再生可能化する再生可能化手段と
を備える請求項１７記載の記録再生装置。
【請求項２０】
情報の記録および再生を行う記録再生装置により実行される情報記録方法であって、
前記記録再生装置の外部より第１情報を取得する取得ステップと、
前記取得ステップにおいて取得された前記第１情報を第１記録媒体に記録し、かつ、前記第１情報のコピーである第２情報を第２記録媒体に記録する情報記録ステップと、
前記第１情報および前記第２情報が前記情報記録ステップにおいて記録されるとき、前記第１情報が有効であり前記第２情報が無効であることを示す管理データを作成し、管理データ記録領域に記録する管理データ記録ステップと、
前記第１記録媒体に前記第１情報が記録されており、前記第２記録媒体に前記第２情報が記録されており、前記管理データ記録領域に前記管理データが記録されている場合において、前記第１記録媒体に記録されている前記第１情報を前記第２記録媒体にダビングすることを要求するダビング指示を受け付ける受付ステップと、
前記受付ステップにおいて前記ダビング指示が受け付けられた場合、前記第１情報が無効であることを示すように前記管理データを更新することで前記第１情報を無効化する無効化ステップと、
前記受付ステップにおいて前記ダビング指示が受け付けられた場合、前記第２情報が有効であることを示すように前記管理データを更新することで前記第２情報を有効化する有効化ステップと
を含む情報記録方法。
【発明の詳細な説明】
【技術分野】
【０００１】
本発明は、映像信号や音声信号などの情報を記録再生する記録再生装置に関する。
【背景技術】
【０００２】
映像や音声を記録し再生するための媒体として、従来のテープ状の記録媒体だけでなく、円盤状の記録媒体が普及している。たとえば、ＤＶＤ−ＲＡＭ（Digital Versatile Disk Random Access Memory）やＤＶＤ−Ｒ（Digital Versatile Disk Recordable）といった光ディスクやＨＤＤ（Hard Disk Drive）などである。また、近年、記録媒体の大容量化が著しく、ＨＤＤの大容量化はもとより、光ディスクではＢｌｕ−ｒａｙディスクなどの新たな大容量メディアが登場している。これらの大容量メディアを使って高画質・高音質の映像や音声を記録するという需要が高まっている。
【０００３】
さらに、最近では、ＨＤＤと光ディスクなど複数の記録媒体をサポートする記録再生装置が登場してきており、一方の記録媒体に記録した映像・音声をもう一方の記録媒体にダビングするという使われ方が広まっている。この記録媒体間のダビングに関する技術も開示されている（例えば、特許文献１参照）。
【特許文献１】特開２０００−１４９５０５号公報
【発明の開示】
【発明が解決しようとする課題】
【０００４】
ところが、記録媒体の大容量化が進むにつれ、そこに記録される映像または音声を含むデータ（以下、「番組データ」という。）のサイズが大きくなってきた。そのため、番組データのダビングに要する時間が長くなり、ユーザに与えるストレスが増大するという問題が生じてきた。
【０００５】
また、記録再生装置において、扱われる記録媒体だけでなく扱われる映像や音声のフォーマットの種類も増えてきた。具体的には、ＭＰＥＧ２−ＴＳ（Moving Picture Experts Group phase 2 Transport Stream）やＭＰＥＧ２−ＰＳ（Moving Picture Experts Group phase 2 Program Stream）などである。ＭＰＥＧ２−ＴＳはデジタル放送をそのまま記録する場合やＢｌｕ−ｒａｙディスクなどに記録する際のフォーマットとして用いられ、ＭＰＥＧ２−ＰＳはＤＶＤ−ＲＡＭやＤＶＤ−Ｒなどに記録する際のフォーマットとして利用されている。一方、HDDは上述のフォーマットの少なくとも１つ以上、或いは、それ以外のフォーマットを用いる。そのため、異なるフォーマットを利用する媒体間でダビングをしようとするとフォーマットの変換処理が必要となり、ダビングに要する時間が長くなる要因ともなっている。
【０００６】
また、例えば、ある記録媒体に記録された番組データを、ビットレートを落として同一のまたは別の記録媒体にダビングする場合がある。例えば、番組データのビットレートを落とすことによりその番組データの容量（以下、「サイズ」という。）を小さくする場合である。
【０００７】
このようなビットレートの変換処理も、ダビングに要する時間が長くなる要因の一つである。なお、上述のフォーマット変換またはビットレート変換を伴うダビングは変換ダビングと呼ばれる。
【０００８】
さらに、"一世代コピー可"と指定された番組データが記録媒体に記録された場合、その番組データは、複写するに当たって同一の番組データを同時に２つ存在させることはできない。そのため、その番組データをダビングする場合、ダビングの一形態であるムーブを行うことになる。ムーブとはオリジナルのデータの削除を伴うダビングである。ムーブを行う場合、記録媒体に応じた著作権保護などの再処理、例えば、再暗号処理や暗号鍵の変更等の処理が必要になる。これによってもムーブに要する時間が長くなる。
【０００９】
本発明は、このような状況に鑑みてなされたものであり、ユーザが番組データ等の情報のダビングを行う際、ダビングに要する時間を短くするための記録再生装置を提供することを目的とする。
【課題を解決するための手段】
【００１０】
上記目的を達成するために、本発明の記録再生装置は、情報の記録および再生を行う記録再生装置であって、第１情報を取得する取得手段と、前記取得手段により取得された前記第１情報を第１記録領域に記録し、かつ、前記第１情報と同一の内容を有する情報である第２情報を第２記録領域に記録する情報記録手段と、前記第２情報を無効化する無効化手段と、前記第１記録領域に記録されている前記第１情報を前記第２記録領域に記録することを要求する記録指示を受け付ける受付手段と、前記受付手段が前記記録指示を受け付けた場合、無効化されている前記第２情報を有効化する有効化手段とを備える。
【００１１】
また、本発明の記録再生装置は、さらに、前記第２情報が有効であるか無効であるかを示すデータである管理データを、管理データ記録領域に記録する管理データ記録手段を備え、前記無効化手段は、前記管理データ記録手段に、前記第２データが無効であることを示す管理データを、前記管理データ記録領域に記録させることで前記第２情報を無効化し、前記有効化手段は、前記管理データ記録手段に、前記第２データが有効であることを示すように前記管理データを更新させることで前記第２情報を有効化するとしてもよい。
【００１２】
また、本発明の記録再生装置は、さらに、前記取得手段に取得された前記第１情報の属性情報と、前記第２記録領域に記録されている情報の属性情報とが所定の関係を有するか否かを判定する判定手段を備え、前記情報記録手段は、前記判定手段により、前記第１情報の属性情報と、前記第２記録領域に記録されている情報の属性情報とが前記所定の関係を有すると判定された場合、前記第２記録領域に前記第２情報を記録するとしてもよい。
【００１３】
また、本発明の記録再生装置は、さらに、前記第１情報のフォーマットを前記フォーマット以外のフォーマットに変換することで第２情報を生成する第２情報生成手段を備え、前記情報記録手段は、前記第２情報生成手段により生成された前記第２情報を前記第２記録領域に記録するとしてよく、前記第２情報生成手段は、前記第１情報のフォーマットを、前記第２記録領域の追加記録が可能な容量である空き容量に応じたフォーマットに変換するとしてもよい。
【００１４】
また、本発明の記録再生装置は、さらに、前記第１情報のビットレートを前記ビットレート以外のビットレートに変換することで第２情報を生成する第２情報生成手段を備え、前記情報記録手段は、前記第２情報生成手段により生成された前記第２情報を前記第２記録領域に記録するとしてもよく、前記第２情報生成手段は、前記第１情報のビットレートを、前記第２記録領域の追加記録が可能な容量である空き容量に応じたビットレートに変換するとしてもよい。
【００１５】
また、本発明の記録再生装置は、さらに、前記第２記録領域に前記第２情報が記録されているか否かを確認する第２記録領域確認手段を備え、前記第２記録領域確認手段が、前記第２記録領域に前記第２情報が記録されていると確認した場合、前記有効化手段に前記第２情報を有効化させるとしてもよい。
【００１６】
また、本発明の記録再生装置は、さらに、前記第２情報の容量を検出する容量検出手段と、前記容量検出手段により検出された前記第２情報の容量と、前記第２記録領域の追加記録が可能な容量である空き容量とを比較する比較手段とを備え、前記情報記録手段は、前記比較手段が比較した結果、前記第２情報の容量が前記空き容量以下である場合、前記第２情報を前記第２記録領域に記録するとしてもよい。
【００１７】
また、本発明の記録再生装置は、さらに、前記第１情報の容量を検出する容量検出手段と、前記容量検出手段により検出された前記第１情報の容量と、前記第２記録領域の追加記録が可能な容量である空き容量とを比較する比較手段と、前記比較手段が比較した結果、前記第１情報の容量が、前記空き容量を越える場合、前記第２情報の容量が前記空き容量以下となるように、前記第１情報のフォーマットまたはビットレートを異なるフォーマットまたはビットレートに変換することで第２情報を生成する第２情報生成手段とを備え、前記情報記録手段は、第２情報生成手段により生成された前記第２情報を前記第２記録領域に記録するとしてもよい。
【００１８】
また、本発明の記録再生装置は、さらに、前記受付手段が前記記録指示を受け付けた場合、前記第１情報を再生不能化する再生不能化手段を備えるとしてもよい。
【００１９】
また、本発明の記録再生装置は、前記第１記録領域は第１記録媒体であり、前記第２記録領域は第２記録媒体であり、前記記録再生装置はさらに、前記第１記録媒体を保持する第１保持手段と、前記第２記録媒体を保持する第２保持手段と、前記第２記録媒体を前記第２保持手段から前記記録再生装置の外部に排出することを要求する排出指示を検出する排出指示検出手段と、前記排出指示検出手段が、前記排出指示を検出した場合、前記第２記録媒体に記録されており、かつ、無効化されている前記第２情報を再生不能化する再生不能化手段と、前記再生不能化手段が前記第２情報を再生不能化した後に、前記第２記録媒体を前記第２保持手段から前記記録再生装置の外部に排出する排出手段とを備えるとしてもよく、さらに、前記排出指示検出手段が、前記排出指示を検出した場合、前記第２記録媒体に記録されており、かつ、無効化されている前記第２情報に対応する第１情報を、前記第２記録媒体に記録するか否かをユーザに確認する記録確認手段を備え、前記再生不能化手段は、前記記録確認手段により、前記第１情報を前記第２記録媒体に記録すると確認された場合、前記第１情報を再生不能化し、前記記録確認手段により、前記第１情報を前記第２記録媒体に記録しないと確認された場合、前記第２情報を再生不能化し、前記排出手段は、前記再生不能化手段が前記第１情報または前記第２情報を再生不能化した後に、前記第２記録媒体を前記第２保持手段から前記記録再生装置の外部に排出するとしてもよい。また、さらに、前記再生不能化手段が前記第２情報を再生不能化するために行う処理内容を記録する処理内容記録手段と、前記排出手段により排出された前記第２記録媒体が、前記第２保持手段に再び保持された後、前記処理内容に基づき、再生不能化されている前記第２情報を再生可能化する再生可能化手段とを備えるとしてもよい。
【００２０】
また、本発明の記録再生装置は、前記第１記録領域と前記第２記録領域とは記録媒体に存在し、前記記録再生装置はさらに、前記記録媒体を保持する保持手段と、前記記録媒体を前記保持手段から前記記録再生装置の外部に排出することを要求する排出指示を検出する排出指示検出手段と、前記排出指示検出手段が、前記排出指示を検出した場合、前記記録媒体に記録されており、かつ、無効化されている前記第２情報を再生不能化する再生不能化手段と、前記再生不能化手段が前記第２情報を再生不能化した後に、前記記録媒体を前記保持手段から前記記録再生装置の外部に排出する排出手段とを備えるとしてもよく、前記第１情報のフォーマットまたはビットレートと、前記第２情報のフォーマットまたはビットレートとは異なっており、前記記録再生装置は、さらに、前記排出指示検出手段が、前記排出指示を検出した場合、前記記録媒体に記録されており、かつ、無効化されている前記第２情報に対応する第１情報を、前記第２情報と同一フォーマットまたはビットレートに変換するか否かを確認する記録確認手段を備え、前記再生不能化手段は、前記記録確認手段により、前記第１情報を前記第２情報と同一フォーマットまたはビットレートに変換すると確認された場合、前記第１情報を再生不能化し、前記記録確認手段により、前記第１情報を前記第２情報と同一フォーマットまたはビットレートに変換しないと確認された場合、前記第２情報を再生不能化し、前記排出手段は、前記再生不能化手段が前記第１情報または前記第２情報を再生不能化した後に、前記記録媒体を前記保持手段から前記記録再生装置の外部に排出するとしてもよい。また、さらに、前記再生不能化手段が前記第２情報を再生不能化するために行う処理内容を記録する処理内容記録手段と、前記排出手段により排出された前記記録媒体が、前記保持手段に再び保持された後、前記処理内容に基づき、再生不能化されている前記第２情報を再生可能化する再生可能化手段とを備えるとしてもよい。
【００２１】
また、本発明の記録再生装置における情報記録方法は、第１情報を取得する取得ステップと、前記取得ステップにおいて取得された前記第１情報を第１記録領域に記録し、かつ、前記第１情報と同一の内容を有する情報である第２情報を第２記録領域に記録する情報記録ステップと、前記第２情報を無効化する無効化ステップと、前記第１記録領域に記録されている前記第１情報を前記第２記録領域に記録することを要求する指示を受け付ける受付ステップと、前記受付ステップにおいて、前記指示が受け付けられた場合、無効化されている前記第２情報を有効化する有効化ステップとを含む。
【００２２】
更に、本発明は、本発明の記録再生装置の特徴的な構成部をステップとする方法として実現したり、それらのステップを含むプログラムとして実現したり、そのプログラムが格納された、ＣＤ−ＲＯＭ等の記憶媒体として実現したり、集積回路として実現することもできる。プログラムは、通信ネットワーク等の伝送媒体を介して流通させることもできる。
【発明の効果】
【００２３】
本発明の記録再生装置によれば、第１情報を第１記録領域に記録する際、第１情報と同一の内容を有する第２情報を第２記録領域に記録する。また、その第２情報は無効化される。従って、ユーザからすると、第１情報が第１記録領域に記録されていることのみ認識可能である。
【００２４】
しかしながら、第１記録領域に記録されている第１情報を第２記録領域に記録することを要求する指示、つまり、第１情報のダビングを要求する指示を受け付けた場合、第２情報を有効化することで実体的なデータの複製を行うことなくダビングが完了する。
【００２５】
つまり、ダビングの対象となる情報と同じ内容を有する情報を予め同時に記録しておくことにより、ダビングを瞬時に完了させることができる。また、無効化、有効化を行うことで、ユーザに対してアクセスの制限を設けることが可能になり、各種媒体に応じた著作権保護を遵守することも可能になる。
【００２６】
このように、本発明は、ユーザが情報のダビングを行う際、ダビングに要する時間を短くするための記録再生装置を提供することができる。
【発明を実施するための最良の形態】
【００２７】
以下、図面を参照しながら本発明の実施の形態を説明する。
【００２８】
（実施の形態１）
本発明の実施の形態１として、ＨＤＤと光ディスクの２つの記録媒体を備える記録再生装置について説明を行う。この記録再生装置により、例えば、ＨＤＤに番組データを録画し、その番組データを光ディスクにダビングする際、短時間でダビングすることが可能となる。
【００２９】
図１は、実施の形態１の記録再生装置１００の構成の一例を示す図である。
ライン入力部２は、例えば、ＲＧＢケーブルなどの映像や音声の伝送線を利用し、外部装置からの入力を受け付ける処理部である。出力部３は、外部装置に映像や音声を出力する処理部である。チューナ制御部４は、放送波を受信し映像や音声情報を復調する処理部である。
【００３０】
ユーザ入力制御部９は、例えば、リモコンからの信号を受信する処理部である。パネル制御部１０は、ＦＬ管などのパネル表示装置に記録再生装置１００の動作状況を表示させる制御を行う処理部である。なお、ユーザ入力制御部９は、本発明の記録再生装置における受付手段の一例である。また、ライン入力部２およびチューナ制御部４のそれぞれは、本発明の記録再生装置における取得手段の一例である。
【００３１】
エンコーダ１１は、ＭＰＥＧ２−ＴＳやＭＰＥＧ２−ＰＳなどのフォーマットに番組データを変調する処理部である。デコーダ１２は、ＭＰＥＧ２−ＴＳやＭＰＥＧ２−ＰＳの番組データを復調する処理部である。エンコーダ１１およびデコーダ１２により、本発明の記録再生装置における第２情報生成手段が有する、第１情報のフォーマットまたはビットレートを変換し第２情報を生成する機能が実現される。
【００３２】
記録再生制御部１３は、光ディスクに対する記録再生を行う光ディスクドライブ１４およびＨＤＤ１５の制御を行う処理部である。記録再生制御部１３は、光ディスクドライブ１４およびＨＤＤ１５を制御することにより、本発明の記録再生装置における情報記録手段、再生不能化手段、および再生可能化手段が有する機能を発揮することができる。
【００３３】
また、ＨＤＤ１５に保持されるハードディスクおよび光ディスクドライブ１４に保持される光ディスクのそれぞれは、本発明の記録再背装置における第１記録領域および第２記録領域の一例である。
【００３４】
バッファメモリ１６は番組データを一時的に格納するメモリであり、不揮発メモリ１７は記録再生装置１００が管理する情報を格納するメモリである。
【００３５】
また、この記録再生装置１００には、ＲＯＭ６、ＲＡＭ７、フラッシュメモリ８が設けられており、これらと接続されているＣＰＵ５により、記録再生装置１００全体の動作制御が行われる。動作制御のためのプログラムはＲＯＭ６、フラッシュメモリ８、HDD１５の少なくとも１つ以上に記憶されている。また、記録再生装置１００を構成する各処理部およびデバイス間での番組データおよび制御情報の授受はバス１を介して行われる。なお、ＲＡＭ７は、本発明の記録再生装置における管理データ記録領域の一例である。
【００３６】
この記録再生装置１００での録画時における番組データの流れの概要を説明する。放送波を録画する場合、チューナ制御部４を通じて取得した番組データを、必要に応じ、エンコーダ１１が変調する。この際、ユーザが指定する記録媒体に応じて変調するフォーマットが決定される。例えば、ＤＶＤ−ＲＡＭに記録する場合であればＭＰＥＧ２−ＰＳとなる。
【００３７】
また、必要に応じ、ユーザの指定する、番組データを記録する際のビットレートに従い変調することも行われる。具体的には、ユーザに指定される「録画モード」に応じ、フォーマットごとにビットレートが決定される。例えば、録画モードには「ＸＰ」、「ＳＰ」、「ＬＰ」、「ＥＰ」および「ＡＵＴＯ」があり、「ＸＰ」、「ＳＰ」、「ＬＰ」、「ＥＰ」の順にビットレートは低くなる。また、「ＡＵＴＯ」は記録先となる記録媒体の空き容量に応じ、ビットレートが決定される。録画モードとビットレートとの対応はＲＯＭ６等に保持されている。
【００３８】
このようにして、必要に応じて変調された番組データは、記録再生制御部１３を通じてユーザの指定する記録媒体に対応する装置に転送され、記録される。例えば、ユーザに番組データの記録先として光ディスクが指定された場合、番組データは、光ディスクドライブ１４に転送され、光ディスクに記録される。このようにして録画動作が行われる。
【００３９】
上述の録画動作の概要は、従来の記録再生装置における録画動作と同様である。しかしながら、実施の形態１の記録再生装置１００は、ＨＤＤ１５から光ディスクへの番組データのダビングに要する時間を短縮するための録画処理を行うことができる。
【００４０】
図２は、実施の形態１の記録再生装置１００における録画処理の流れの一例を示すフロー図である。なお、以下に説明する各処理部の動作は、特に示す場合を除き、ＲＯＭ６等に記憶されたプログラムに基づくＣＰＵ５の制御によって行われる。また、光ディスクにはすでに複数の番組データが記録されていると想定する。
【００４１】
ユーザの所定の操作により記録再生装置１００が起動される。起動後、光ディスクドライブ１４に保持される光ディスクが起動される（Ｓ１０１）。光ディスクの起動後、光ディスクに記録されている番組データの内容調査を行う（Ｓ１０２）。具体的には、記録再生制御部１３が光ディスクに記録されている番組データのタイトル等の情報を読み出す。読み出された情報は、ＲＡＭ７に格納される。
【００４２】
次に、ユーザのリモコン操作やパネル操作によって、あるいは、あらかじめ設定された予約録画情報によってHDD１５への録画の開始が指示される（Ｓ１０３）。録画開始の際、録画対象の番組データの内容と内容調査（Ｓ１０２）で取得した光ディスクの番組データの内容とが比較され、それらが関係するか否かが判定される（Ｓ１０４）。つまり、それぞれの番組データの属性情報が所定の関係を有するか否かが判定される。
【００４３】
具体的には、録画対象の番組データのタイトル等の情報がＲＡＭ７に格納され、先に格納されている光ディスクから読み出された情報との比較が、ＣＰＵ５により行われる。本実施の形態においてはタイトル名が一致する場合、録画対象の番組データの内容と光ディスクに記録されている番組データの内容とが関係すると判断する。つまり、ＣＰＵ５は本発明の記録再生装置における判定手段の有する判定機能を発揮する。
【００４４】
ここで、内容が関係すると判断された場合（Ｓ１０４でＹ）、今まさにＨＤＤ１５に記録しようとしている番組データのタイトルと同一のタイトルを有する番組データが、光ディスクすでに記録されていることを意味する。この場合、記録しようとしている番組データは、例えば、連続ドラマのような毎回同じタイトルである番組のデータであり、前回までの番組データがＨＤＤ１５から光ディスクにダビング済みでことが想定される。従って、ＨＤＤ１５に記録しようとしている番組は、ＨＤＤ１５に記録された後、光ディスクにダビングされる可能性が高いと考えられる。
【００４５】
そこで、実施の形態１の記録再生装置１００は、ＨＤＤ１５と光ディスクの双方に同じ番組データを同時に記録する。なお、ＨＤＤ１５に記録される番組データは本発明の記録再生装置における第１情報の一例であり、光ディスクに記録される番組データは、本発明の記録再生装置における第２情報の一例である。
【００４６】
具体的には、録画対象の番組データの内容と光ディスクに記録されている番組データの内容とが関係すると判定された場合（Ｓ１０４でＹ）、記録再生制御部１３の制御によりＨＤＤ１５と光ディスクの両方に同じ番組データが記録される（Ｓ１０５）。なお、内容が関係しないと判定された場合（Ｓ１０４でＮ）、記録再生制御部１３の制御によりＨＤＤ１５にのみ番組データが記録される（Ｓ１０６）。
【００４７】
その後、録画の停止指示に従い（Ｓ１０７）、記録再生制御部１３等が録画の停止処理を行う（Ｓ１０８）。録画停止後、ＣＰＵ５の動作により、録画した番組に関する情報である番組データ情報が作成され、ＲＡＭ７に格納され、録画履歴情報に追加される（Ｓ１０９）。
【００４８】
ここで、この記録時点においては、ユーザにとってはＨＤＤ１５にのみ番組データの記録がなされていればよい。従って、上述のように、ＨＤＤ１５および光ディスクの双方に同一の番組データが記録された場合、ユーザを困惑させないよう、光ディスクに記録された番組データをユーザから認識されない状態にする必要がある。
【００４９】
また、上述のように、"一世代コピー可"と指定された番組データである場合、２つの同一の番組データが同時に再生や編集などが可能な状態であってはならない。このためにも、光ディスクに記録された番組データにユーザがアクセスできない状態にする必要がある。ユーザは番組データにアクセスできなければ再生や編集などは当然のこととして認識もできないからである。
【００５０】
そこで、記録再生装置１００においては、２つの同一の番組データを記録した場合、録画履歴情報を利用してどちらか一方のみをユーザにアクセス可能な状態に置く。本実施の形態においては、ユーザから番組データの記録先として明示的に指定されたＨＤＤ１５に記録されている番組データのみをユーザからアクセス可能な状態に置く。これにより、ユーザを困惑させることがなく、また、番組データの著作権を保護することができる。
【００５１】
図３は、録画履歴情報３０１および録画履歴情報３０１に含まれる番組データ情報３０２のデータ構成の一例を示す図である。
【００５２】
録画履歴情報３０１は、ｎ個の番組データ情報３０２より構成される。ｎは１以上の整数であり、録画履歴情報３０１は複数の番組データ情報３０２より構成されていることを示している。また、各番組データ情報３０２に割り振られた＃１、＃２、・・・、＃ｎという番号は、便宜上割り当てた番号である。
【００５３】
各番組データ情報３０２は、データ項目として、タイトル名３０３、その番組データを放送していたチャンネル３０４、その番組データを記録した日時である録画日時３０５、その番組データのフォーマットやビットレートを示す録画モード３０６、番組データ全体の時間を示す総時間３０７、および、ユーザの指示により番組データを記録したデバイスに関する情報である録画デバイス３０８、ユーザの指示とは別に番組データを同時に記録したデバイスに関する情報である複写デバイス３０９から構成される。
【００５４】
実施の形態１においては、録画デバイス３０８にはＨＤＤ１５を特定する情報が記録される。また、複写デバイス３０９には、ＨＤＤ１５に記録された番組データと同一の番組データが記録された光ディスクの固有識別情報（以下、「ディスクＩＤ」という。）および、光ディスクに記録した番組データの録画モード等が記録される。なお、複写デバイスは複数存在しても構わない。
【００５５】
記録再生装置１００において、上述のように、ＨＤＤ１５と光ディスクとに同時に同一の番組データが記録された際（Ｓ１０５）、複写デバイス３０９にディスクＩＤなどを記録することにより、光ディスクに記録されている番組データは、ユーザからアクセスできないようになる。
【００５６】
具体的には、ユーザの指示により、光ディスクに記録された番組データおよびそのタイトル等の情報を外部に出力する必要がある際、記録再生制御部１３が、光ディスクのディスクＩＤを読み出す。ＣＰＵ５は、録画履歴情報３０１の中から、読み出されたディスクＩＤを複写デバイス３０９の中に有する番組データ情報３０２を特定する。さらに、特定された番組データ情報３０２によって示される番組データ、およびそのタイトル等の情報を記録再生装置１００から外部に出力しないよう記録再生制御部１３、出力部３、および、パネル制御部１０を制御する。
【００５７】
これにより、例えば、ユーザの指示により、光ディスクに記録されている番組データのタイトルの一覧を出力する際、ＨＤＤ１５への記録と同時に光ディスクに記録された番組データのタイトルは出力されない。つまり、ユーザは、光ディスクに存在するその番組データを認識する術がない。これにより、ユーザはその番組データにアクセスすることはできない。
【００５８】
なお、ＨＤＤ１５にのみ記録された番組データについては、対応する番組データ情報３０２の複写デバイス３０９には記録されていない。そのため、その番組データはユーザがアクセス可能であり、再生等の機能も利用可能である。
【００５９】
このように、番組データ情報３０２に含まれる内容により、番組データのユーザからのアクセスの可否が決定される。以下、番組データ情報３０２を利用し、番組データをユーザからアクセスできないようにすることを無効化といい、無効化された番組データを記録再生装置１００においてユーザからアクセスできるようにすることを有効化という。
【００６０】
なお、録画履歴情報３０１、および、番組データ情報３０２は本発明の記録再生装置における管理データの一例であり、ＣＰＵ５により、管理データ記録手段が有する記録機能が実現される。また、本発明の記録再生装置における無効化手段および有効化手段が有する、情報に対する有効化機能および無効化機能は、ＣＰＵ５により実現される。
【００６１】
なお、ユーザの所定の操作により記録再生装置１００が停止状態にされる際、ＲＡＭ７に格納されている録画履歴情報３０１は、不揮発メモリ１７に読み込まれる。その後、記録再生装置１００が起動された際、録画履歴情報３０１は、不揮発メモリ１７からＲＡＭ７に読み込まれる。
【００６２】
このように、実施の形態１の記録再生装置１００は、ＨＤＤ１５と、光ディスクドライブ１４に保持されている光ディスクとに同時に同一の番組データを記録する。
【００６３】
ユーザがＨＤＤ１５に記録されている番組データを光ディスクにダビングする際の、記録再生装置１００の動作を図４を用いて説明する。
【００６４】
図４は、実施の形態１の記録再生装置１００における、ダビング処理の流れの一例を示すフロー図である。
【００６５】
ユーザの所定の操作により、ＨＤＤ１５に記録されている番組データを光ディスクドライブ１４に保持されている光ディスクにダビングするように指示される（Ｓ２０１）。記録再生装置１００では、ダビング指示を受けると録画履歴情報から指定された番組データが光ディスクに予め記録されているかどうかが調査される（Ｓ２０２）。
【００６６】
具体的には、ＣＰＵ５が、ＲＡＭ７に格納されている録画履歴情報の中から、ダビング対象の番組データの番組データ情報を抽出する。また、記録再生制御部１３に光ディスクのディスクＩＤを読み出させる。さらに、記録再生制御部１３が読み出したディスクＩＤが、抽出した番組データ情報の複写デバイス３０９の項目に記録されているかを確認する。記録されている場合は、その光ディスクに、ダビング対象の番組データが記録されていることを意味する。このように、ＣＰＵ５により、本発明の記録装置における第２記録領域確認手段が有する確認機能を実現される。
【００６７】
光ディスクにダビング対象の番組データが記録されている場合（Ｓ２０３でＹ）、実体的なダビング処理を行わず、ＨＤＤ１５のダビング対象であった番組データを再生不能化する（Ｓ２０５）。番組データの再生不能化は、記録再生制御部１３がＨＤＤ１５を制御することにより行われる。つまり、記録再生制御部１３により、本発明の記録再生装置における再生不能化手段が有する情報に対する再生不能化機能が実現される。
【００６８】
なお、本発明の記録再生装置の説明において、再生不能化とは、番組データ自体を完全に削除すること、または、番組データが記録されている記録媒体が有する、記録媒体内の情報を管理する情報である管理情報を削除または加工するなどし、番組データを実質的に再生不可能にすることである。また、再生不能化された番組データは、そのタイトル等の情報も読み出されることはなく、複写、編集等の処理も不可能となる。再生不能化された番組データが存在していた領域は、記録媒体内では空き領域として認識される。
【００６９】
番組データの再生不能化の後、録画履歴情報が更新される（Ｓ２０６）。具体的には、録画デバイスの項目に光ディスクのディスクＩＤが記録され、録画履歴情報の複写デバイスの内容が削除される。これにより、光ディスクに記録されている、ダビング対象の番組データが有効化される。
【００７０】
以上の動作により、ダビングが完了する。このように実施の形態１の記録再生装置１００は、ユーザにより、ＨＤＤ１５から光ディスクへ番組データのダビングが指示された場合、実体的なダビング処理、つまり、番組データの読出し、書き込みを伴う複製処理を行う必要がない。
【００７１】
なお、番組データをＨＤＤ１５に記録する際に、光ディスクドライブ１４に光ディスクが装着されていなかった等の理由により、光ディスクに、ダビング対象の番組データが記録されていない場合（Ｓ２０３でＮ）、ＨＤＤ１５から光ディスクに実体的なダビング処理を行う（Ｓ２０４）。
【００７２】
ここで、記録再生装置１００における、実体的なダビング処理の流れの一例を説明する。記録再生制御部１３がＨＤＤ１５から読み出した番組データを一旦バッファメモリ１６に格納する、その後、バッファメモリ１６に格納された番組データを、記録再生制御部１３が光ディスクドライブ１４に対し、光ディスクに記録させる処理制御を行う。
【００７３】
実体的なダビング処理の後、ＨＤＤ１５の番組データを再生不能化し（Ｓ２０５）、録画履歴情報を更新する（Ｓ２０６）。
【００７４】
このように、実施の形態１の記録再生装置１００は、ユーザから番組データのＨＤＤ１５への記録を指示された場合、ＨＤＤ１５への番組データの記録と同時に、光ディスクドライブ１４に保持されている光ディスクにもその番組データを記録することができる。この光ディスクに記録された番組データおよびそのタイトル等は、録画履歴情報に基づき、ユーザからアクセスされることがないよう制御される。
【００７５】
その後、ユーザから、ＨＤＤ１５に記録されている番組データを光ディスクに記録する指示がなされた場合、つまり、ダビングの指示がなされた場合、録画履歴情報を書き換えることにより、光ディスクに記録済みであったその番組データを有効化する。また、同時にＨＤＤ１５の番組データを再生不能化する。
【００７６】
つまり、記録再生装置１００は、実体的なダビング処理を行うことなく、短時間で実体的なダビングと同じ結果をユーザに提供することができる。また、ユーザからすると、ダビングの前後において、ユーザがアクセス可能な番組データはＨＤＤ１５から光ディスクへ移動したこととなる。これにより、実際には同一の番組データがＨＤＤ１５と光ディスクとに存在する場合であっても、ユーザを困惑させることがない。また、 著作権保護のためにコピーに制限がある番組データであってもその制限を遵守したダビングとなる。
【００７７】
なお、ＨＤＤ１５に記録されている番組データを再生不能化する手法として、完全に削除するのではなく、その番組データに関する管理情報または番組データをアクセスすることができないよう加工する手法を採用した場合、光ディスクにダビングされた番組データをＨＤＤ１５へ再度ダビングする場合に有効である。
【００７８】
例えば、上記の、番組データまたは管理情報の加工内容を、不揮発メモリ１７に加工履歴として記憶しておく。光ディスクからＨＤＤ１５への再ダビングが指示された場合、その加工履歴に基づき、番組データを視聴可能とするように、その番組データまたは管理情報を加工等が行われる前の状態に戻す。つまりその番組データを再生可能化する。また、光ディスクに記録されているダビング対象である番組データを無効化する。
【００７９】
これにより、一旦光ディスクにダビングされた番組データを、ＨＤＤ１５に再ダビングする場合、実体的なダビング処理を要せず、短時間で再ダビングが完了する。
【００８０】
また、ＨＤＤ１５に記録されている番組データを再生不能化するのではなく無効化するとしてもよい。このことによっても、光ディスクにダビングされた番組データをＨＤＤ１５へ再度ダビングすることが可能になる。
【００８１】
例えば、録画履歴情報の複写デバイス３０９にHDD１５の番組データの情報を移すことでHDD１５の番組データを無効化する。光ディスクからＨＤＤ１５への再ダビングが指示された場合、録画履歴情報の複写デバイスの情報を番組データ情報に写し、光ディスクの情報を複写デバイスに移す。こうすることでHDD１５の番組データを有効化し、光ディスクの番組データを無効化することになる。これにより、一旦光ディスクにダビングされた番組データを、ＨＤＤ１５に再ダビングする場合、実体的なダビング処理を要せず、短時間で再ダビングが完了する。
【００８２】
また、図２のフロー図に示す、記録再生装置１００における録画処理の流れの一例の説明において、録画対象の番組データのタイトルと、光ディスクに記録されている番組データのタイトル名とが一致する場合、録画対象の番組データの内容と光ディスクに記録されている番組データの内容とが関係すると判断するとした。
【００８３】
しかしながら、それら番組データの内容が関係するか否かの判断は、それぞれのタイトル以外の属性情報の一致または不一致で判断してもよい。例えば、それら番組データの放送日、曜日、または時刻などの一致または不一致で判断してもよい。また、複数の情報、例えば、タイトルと放送時刻の２つの情報のうちの全て、または一部の情報の一致または不一致で判断してもよい。
【００８４】
つまり、録画対象の番組データの内容と光ディスクに記録されている番組データの内容の関連性を特定するための最適な判断方法の決定がなされればよい。
【００８５】
また、録画対象の番組データの内容と光ディスクに記録されている番組データの内容とが関係すると判断した場合のみ、ＨＤＤ１５および光ディスクの両方に記録するとした。しかしながら、例えば、番組内容の関連性にかかわらず両方に録画を行ってもよい。また、番組内容が関係するが、録画する番組データの容量が光ディスクの空き容量を越える場合、光ディスクの空き容量に応じ、ＨＤＤ１５に記録する番組データのフォーマットまたはビットレートを変換するとしてもよい。
【００８６】
このようにすることで、ＨＤＤ１５に記録される番組データが光ディスクに同時に記録される機会を増やすことができる。これにより、ユーザが番組データのダビングを所望した際、短時間でダビングできる機会が増えることとなり、ユーザにとって記録再生装置１００の利便性が向上する。
【００８７】
また、ダビングの際、ダビング元のＨＤＤ１５にある番組データを再生不能化するとした。しかしながら、再生不能化しなくてもよい。例えば、ダビングの対象となる番組データが、ユーザが撮影したビデオ画像である場合など、ユーザ自身が著作権を有する番組データである場合、ダビング後もＨＤＤ１５に残しておいてもよい。また、例えば、ダビング対象の番組データから著作権に関する情報を取得し、再生不能化を行うか否かを決定してもよい。
【００８８】
また、実施の形態１の説明において、ＨＤＤ１５および光ディスクに記録する番組データは同一の番組データであるとした。しかしながら、同一の内容を有する番組データであればフォーマット等が異なっていてもよい。例えば、番組データを変調し、光ディスクに記録してもよい。また、例えば、チューナ制御部４が受信する番組データがＭＰＥＧ２−ＴＳのフォーマットであり、光ディスクがＤＶＤ−ＲＡＭの場合、ＨＤＤ１５にはＭＰＥＧ２−ＴＳのフォーマットで記録し、ＤＶＤ−ＲＡＭにはＭＰＥＧ２−ＰＳのフォーマットに変調して記録してもよい。つまり、記録媒体に応じたフォーマットで番組データを記録すればよい。
【００８９】
また、番組データの無効化および有効化は、番組データ情報３０２を利用せずに行ってもよい。例えば、上述の再生不能化および再生可能化と同じ手法を用いてもよい。また、暗号化および複合化技術によって実現されてもよい。さらに、これら手法と番組データ情報を利用する手法とを複合して使用してもよい。
【００９０】
また、光ディスクにおいて、番組データの管理情報は番組データを記録する際（図２のＳ１０５）に記録される。そこで、例えば、光ディスクに番組データを記録する際に光ディスクに番組データの管理情報を記録しないようにすることで無効化してもよい。また、この手法により無効化された番組データがダビングの対象となった場合（Ｓ２０３でＹ）、実体的なダビング処理を行わず、番組データの管理情報を光ディスクに記録する。これらの情報は、光ディスクに記録せずにＨＤＤ１５などに退避しておいた管理情報、あるいは、HDD１５にある番組データの管理情報、あるいは、録画履歴情報などから読み出される。これにより、光ディスクの番組データは有効化されることとなる。一方、ＨＤＤ１５にある番組データの管理情報を削除、あるいは、光ディスクやフラッシュメモリ８などに移動させることで無効化を行う。
【００９１】
このように、番組データの無効化および有効化は、短時間で、ユーザがアクセスできない番組データをユーザからアクセス可能とする技術であればよい。
【００９２】
また、光ディスクに記録された番組データが無効化される時期、つまり録画履歴情報が作成される時期は、図３に示す時期でなくてもよい。例えば、番組データへ光ディスクが記録される前であってもよく、また、番組データの光ディスクへの記録中であってもよい。
【００９３】
また、図３に示す録画履歴情報３０１は、記録再生装置１００の電源がオフにされる際、不揮発メモリ１７に格納されるとした。しかしながら、録画履歴情報３０１の格納場所はフラッシュメモリ８、光ディスク、またはＨＤＤ１５などでもよい。つまり、記録再生装置１００の電源がオフにされた場合であっても保持しておくことが可能な記録媒体であればよい。
【００９４】
また、番組データ情報３０２に含まれる情報項目である複写デバイス３０９は１つでなくてもよい。例えば、複数のデバイスに対して番組データを同時に記録した場合、その複数のデバイスを特定する情報を記録するために、複写デバイス３０９を複数設けてもよい。
【００９５】
また、録画デバイス３０８と複写デバイス３０９に記録された番組データのビットレートやフォーマットが異なる場合、録画モード３０６を録画デバイス３０８と複写デバイス３０９のそれぞれに対応するように設けてもよい。
【００９６】
また、番組データ情報３０２のデータ構成は図、３に示したものでなくてもよい。例えば、番組の内容、出演者、ジャンル情報、課金情報などを含んでいてもよい。
【００９７】
このように、番組データ情報３０２は、記録再生装置１００の構成やユーザの要求に応じ、必要な情報を保持する構成であればよい。
【００９８】
また、実施の形態１の記録再生装置１００は、記録媒体としてＨＤＤ１５および光ディスクの２つを備えるとしたがその限りではない。例えば、２つのHDD、あるいは、２つの光ディスクでもよいし、光ディスクと半導体メモリカードなどでもよい。
【００９９】
また、実施の形態１の記録再生装置１００は、ＨＤＤ１５から光ディスクへのダビングを行うとしたがその限りではない。例えば、光ディスクからＨＤＤ１５へのダビングであってもよい。
【０１００】
つまり、実施の形態１の記録再生装置１００において行われる、番組データの記録およびダビングに関する動作の特徴は、記録媒体の種類に依存せず発揮される。
【０１０１】
また、図１に示す記録再生装置１００の構成部の一部または全部は、各構成部の組み合わせにより、集積回路であるＬＳＩとして実現される場合がある。これらは、個別に１チップ化されても良いし、一部またはすべての構成部を含むように１チップ化されても良い。
【０１０２】
図５は、実施の形態１の記録再生装置１００において、集積回路として実現される構成部の範囲の一例を示す図である。図中の点線で囲まれた範囲が集積回路として実現される構成部の範囲の一例を示す。つまり、本発明の記録再生装置は、ＬＳＩ等の集積回路として実現されてもよい。
【０１０３】
（実施の形態２）
本発明の実施の形態２として、１枚の光ディスクのみを記録媒体として備える記録再生装置について説明を行う。この記録再生装置により、光ディスクに記録された番組データを同一ディスク内で変換ダビングする際、短時間でダビングすることが可能となる。
【０１０４】
変換ダビングとは、ダビングの一種であり、番組データのフォーマットの変換またはビットレートの変換の少なくとも一方の変換を伴うダビングのことである。例えば、光ディスクに記録された番組データのビットレートを変換する場合、一旦光ディスクから番組データの読出しを行い、読み出したデータを所望のビットレートに変換する。さらに、そのビットレート変換された番組データを光ディスクに記録することで行われる。
【０１０５】
図６は、実施の形態２の記録再生装置１００の構成の一例を示す図である。
【０１０６】
図６に示すように、実施の形態２の記録再生装置１００は、その構成においてＨＤＤ１５を備えていない点で、図１に示す実施の形態１の記録再生装置１００とは異なる。しかしながら、ＨＤＤ１５以外は、実施の形態１の記録再生装置１００が備える構成部と同じものを備えている。そのため、記録再生装置１００の構成についての説明は省略し、実施の形態２の記録再生装置１００の動作を以下に述べる。
【０１０７】
図７は、実施の形態２の記録再生装置１００における録画処理の流れの一例を示すフロー図である。なお、以下に示す各処理部の動作は、特に示す場合を除き、ＲＯＭ６等に記憶されたプログラムに基づくＣＰＵ５の制御によって行われる。
【０１０８】
ユーザのリモコン操作やパネル操作によって、あるいは、あらかじめ設定された予約録画情報によって光ディスクへの番組の録画が開始される（Ｓ５０１）。録画を開始する際、記録再生制御部１３は、ユーザに指示されたビットレートで記録される番組データと、それ以外、例えば、指示されたビットレートより低いビットレートで記録される番組データとの両方を記録するだけの空き容量が、光ディスクにあるか否かを確認する（Ｓ５０２）。つまり、指示とは異なるビットレートの番組データの容量が、ユーザに指示されたビットレートの番組データを光ディスクに記録した後の空き容量以下であるかの比較が行われる。なお、空き容量とは、その光ディスクに追加記録が可能な容量である。
【０１０９】
上記の、指示とは異なるビットレートの番組データの容量の検出、および、上記の比較は、ＣＰＵ５が行う。
【０１１０】
両方の番組データを記録するだけの空き容量が光ディスクにある場合（Ｓ５０２でＹ）、記録再生制御部１３の制御により、ユーザに指示されたビットレートの番組データと、異なるビットレートの番組データとが光ディスクに記録される（Ｓ５０３）。これら２つの番組データは、ビットレートは異なるが同一の内容を有する情報である。
【０１１１】
一方、両方の番組データを記録するだけの空き容量がなく、指示されたビットレートの番組データのみを記録する空き容量がある場合（Ｓ５０２でＮ）、記録再生制御部１３の制御により、指示されたビットレートの番組データのみが光ディスクに記録される（Ｓ５０４）。録画の停止が指示された後（Ｓ５０５）、ＣＰＵ５の動作により、記録された番組データに応じた録画履歴情報が作成され（Ｓ５０６）、ＲＡＭ７に格納される。
【０１１２】
上述の動作の流れにおいて、両方の番組データを記録するだけの空き容量が光ディスクにある場合（Ｓ５０２でＹ）、指示されたビットレートで記録された番組データのみがユーザからアクセスできるように、かつ、指示とは異なるビットレートで記録された番組データはユーザからアクセスできないように録画履歴情報が作成される。つまり、指示とは異なるビットレートで記録された番組データは無効化される。
【０１１３】
また、両方の番組データを記録するだけの空き容量がない場合（Ｓ５０２でＮ）、記録された番組はユーザからアクセスできるように録画履歴情報が作成される。
【０１１４】
なお、ユーザに指示されたビットレートで記録された番組データを、以下、「第１データ」ともいう。また、第１データと同時に記録された、ユーザに指示されたビットレート以外のビットレートで記録された番組データを、以下、「第２データ」ともいう。
【０１１５】
図８は、実施の形態２の記録再生装置１００において生成され記録される録画履歴情報７０１および録画履歴情報７０１に含まれる番組データ情報７０２のデータ構成の一例を示す図である。
【０１１６】
録画履歴情報７０１は、ｎ個の番組データ情報７０２より構成される。ｎは１以上の整数であり、録画履歴情報７０１は複数の番組データ情報７０２より構成されていることを示している。また、各番組データ情報７０２に割り振られた＃１、＃２、・・・、＃ｎという番号は、便宜上割り当てた番号である。
【０１１７】
各番組データ情報７０２は、実施の形態１における録画履歴情報３０１と同じく、データ項目として、タイトル名３０３、その番組データを放送していたチャンネル３０４、その番組データを記録した日時である録画日時３０５、その番組データのフォーマットやビットレートを示す録画モード３０６、および番組データ全体の時間を示す総時間３０７を有している。
【０１１８】
また、各番組データ情報７０２は、上記データ項目に加えて、属性７０３を有している。
【０１１９】
属性７０３は、番組データがユーザからアクセス可能であるか否かを示す情報が記録されるデータ項目である。
【０１２０】
具体的には、第１データと第２データとが同時に光ディスクに記録された場合、それぞれの番組データに対応する２つの番組データ情報７０２が生成される。第１データに対応する番組データ情報７０２の属性７０３には、ユーザからのアクセスを許可する旨の情報が記録される。また、第２データに対応する番組データ情報７０２の属性７０３にはユーザからのアクセスを許可しない旨の情報が記録される。さらに、それら属性７０３には光ディスクのディスクＩＤが記録される。
【０１２１】
また、第１データのみが光ディスクに記録された場合、１つの番組データ情報７０２が生成され、その番組データ情報７０２の属性７０３には、第１データへのユーザからのアクセスを許可する旨の情報が記録される。
【０１２２】
ユーザの指示により、光ディスクに記録された番組データおよびそのタイトル等の情報を外部に出力する必要がある際、記録再生制御部１３が、光ディスクのディスクＩＤを読み出す。ＣＰＵ５は、録画履歴情報７０１の中から、読み出されたディスクＩＤを属性７０３の中に有する番組データ情報７０２を検索する。さらに、検索の結果、該当すると判断された番組データ７０２のうち、属性７０３の中にアクセスが不許可と示されている番組データは出力しないように制御し、属性７０３の中にアクセスが許可と示されている番組データは出力するように記録再生制御部１３、出力部３、及び、パネル制御部１０を制御する。
【０１２３】
これにより、例えば、ユーザの指示により、光ディスクに記録されている番組データのタイトルの一覧を出力する際、第２データは無効化されている。つまり、ユーザの指示とは異なるビットレートで記録された番組データのタイトルは出力されない。つまり、ユーザは、光ディスクに存在するその番組データを認識する術がない。これにより、ユーザはその番組データにアクセスすることはできない。
【０１２４】
なお、ユーザの所定の操作により記録再生装置１００が停止される際、ＲＡＭ７に格納されている録画履歴情報７０１は、不揮発メモリ１７に読み込まれる。その後、記録再生装置１００が起動された際、録画履歴情報７０１は、不揮発メモリ１７からＲＡＭ７に読み込まれる。なお、常に不揮発メモリ１７に読み込まれるとしてもよい。
【０１２５】
このように、実施の形態２の記録再生装置１００は、光ディスクドライブ１４に保持されている１枚の光ディスクに、同一の内容の２つの番組データを同時に１枚の光ディスクに記録する。しかし、それら２つの番組データは互いにビットレートが異なり、ユーザに指示されたビットレートの番組データのみがユーザからアクセスが可能となる。
【０１２６】
このような番組データの記録を行う記録再生装置１００において、ユーザが光ディスクに記録されている番組データを光ディスク内で変換ダビングする際の、記録再生装置１００の動作を図９を用いて説明する。
【０１２７】
図９は、実施の形態２の記録再生装置１００における、変換ダビングの処理の流れの一例を示すフロー図である。
【０１２８】
ユーザの所定の操作により、光ディスクに記録された番組データのビットレートの変換が指示される（Ｓ６０１）。この指示には、ユーザが所望するビットレート（以下、「目的ビットレート」という。）を示す情報が含まれる。
【０１２９】
なお、実施の形態２におけるビットレートの変換の指示は、記録再生装置１００からすると、第１データを第２データが記録されている領域に記録することを要求する指示である。つまり、無効化されている第２データを有効化することを要求する指示である。
【０１３０】
上記指示を受けた記録再生装置１００では、録画履歴情報が調査され（Ｓ６０２）、目的ビットレートで記録された番組データが光ディスクに存在するか否かが確認される（Ｓ６０３）。
【０１３１】
具体的には、記録再生制御部１３が、指示された番組データのタイトルがタイトル名３０３に記録されており、かつ、属性７０３のディスクIDが指示された光ディスクのディスクIDに一致し、かつ、属性７０３にユーザからのアクセスを許可しない旨の情報が記録されており、かつ、録画モード３０６に目的ビットレートと一致するビットレートが記録されている番組データ情報７０２が録画履歴情報７０１に存在するか否かを調査する。
【０１３２】
上記条件に該当する番組データ情報７０２が録画履歴情報７０１に存在する場合、目的ビットレートの番組データが光ディスクに存在すると確認される。
【０１３３】
目的ビットレートの番組データが存在する場合（Ｓ６０３でＹ）、変更元の番組データが再生不能化される（Ｓ６０５）。最後に、目的ビットレートの番組データを有効化し、元の指示された番組データを無効化するように録画履歴情報を更新してビットレート変更処理を完了する（Ｓ６０６）。
【０１３４】
具体的には、有効化の場合、目的ビットレートの番組データに対応する番組データ情報７０２の属性７０３が、ユーザからのアクセスを許可する旨の情報に書き換えられる。これにより、ユーザは、目的ビットレートの番組データへアクセスが可能となる。一方、無効化の場合、指示された番組データに対応する番組データ情報７０２の属性７０３が、ユーザからのアクセスを許可しない旨の情報に書き換えられる。これにより、指示された番組データへのアクセスが不可能となる。
【０１３５】
以上の動作により、変換ダビングが完了する。このように実施の形態１の記録再生装置１００は、ユーザにより、光ディスクに記録されている番組データのビットレートの変換が指示された場合、実体的なビットレートの変換処理を行うことなく、ほぼ瞬時に処理を完了することが可能となる。
【０１３６】
なお、目的ビットレートの番組データが存在しない場合（Ｓ６０３でＮ）、ビットレート変換の対象である番組データを目的ビットレートに変換する実体的な処理を行う（Ｓ６０４）。
【０１３７】
具体的には、記録再生制御部１３が読み出した番組データをデコーダ１２が復調した後、エンコーダ１１が目的ビットレートで再度変調する（Ｓ６０４）。最後に、記録再生制御部１３が、変調された目的ビットレートの番組データを光ディスクに記録する。ビットレート変換の途中、変換後または変換前の番組データをバッファメモリ１６に蓄積してもよい。
【０１３８】
番組データの光ディスクへの記録後、変更元の番組データは再生不能化される（Ｓ６０５）。最後に、録画履歴情報を更新してビットレート変更処理を完了する（Ｓ６０６）。
【０１３９】
このように、実施の形態２の記録再生装置１００は、ユーザから番組データの光ディスクへの記録を指示された場合、ユーザに指示されたビットレートの番組データ（第１データ）を記録すると同時に、そのビットレートとは異なるビットレートの番組データ（第２データ）を記録することができる。この第２データおよび第２データに関するタイトルなどの情報は、無効化され、ユーザからアクセスされることがないよう制御される。
【０１４０】
その後、光ディスクに記録された第１データのビットレートを変換する指示がユーザからなされ、指示されたビットレートが、第２データのビットレートと同じである場合、ＣＰＵ５が録画履歴情報を書き換えることにより、光ディスクに記録済みであった第２データが有効化される、つまりユーザからアクセス可能な状態になる。また、第１データは再生不能化される。
【０１４１】
つまり、記録再生装置１００は、実体的なビットレート変換を行うことなく、短時間で実体的な変換ダビングと同じ結果をユーザに提供することができる。また、ユーザからすると、変換ダビングの前後においては、一つの番組データがビットレート変換されただけであり、第１データと第２データとが同時に認識されることがない。つまり、実際には同一の番組データが光ディスクに重複して存在する場合であっても、ユーザを困惑させることがない。また、 著作権保護のためにコピーが制限されている番組データであってもその制限を遵守したダビングとなる。
【０１４２】
また、変換ダビングの際、変換前のビットレートの番組データまたは管理情報を加工することで再生不能化した場合、変換ダビングされた番組データを元のビットレートに戻す場合に有効である。
【０１４３】
例えば、番組データまたは管理情報に対する再生不能化のための加工内容を、不揮発メモリ１７に加工履歴として記憶しておく。変換ダビングされた番組データのビットレートを元に戻す指示がなされた場合、その加工履歴に基づき、変換前の番組データまたはその番組データの管理情報を加工等が行われる前の状態に戻す。また、変換後の番組データを無効化する。
【０１４４】
これにより、例えば、ユーザは、一旦低いビットレートに変換し、画質の落ちた番組を、変換前の高画質で視聴することができる。また、実体的な変換ダビングをした場合、ビットレートの高い方向に変換ダビングすることはほぼ不可能であるが、この実施の形態において可能となる。
【０１４５】
また、変換ダビングの際、変換前のビットレートの番組を再生不能化するのではなく無効化してもよい。この場合においても、変換ダビングされた番組データを元のビットレートに戻す場合に有効である。
【０１４６】
例えば、第１データに関する番組データ情報７０２の属性７０３にアクセス不許可を示す情報を記録することで、元の番組データを無効化しておく。その後、第２データを第１データのビットレートに戻す再度の変換ダビングを指示された場合、第１データに関する番組データ情報７０２の属性７０３をアクセス許可にすることで有効化し、第２データに関する番組データ情報７０２の属性７０３をアクセス不許可にすることで無効化する。
【０１４７】
このように、変換前のビットレートの番組を無効化した場合においても、ユーザは、一旦低いビットレートに変換し、画質の落ちた番組を、変換前の高画質で視聴することができる。また、実体的な変換ダビングをした場合、ビットレートの高い方向に変換ダビングすることが可能となる。
【０１４８】
また、光ディスクにユーザに指示されたビットレートの番組データと、異なるビットレートの番組データとを記録する際（図７のＳ５０３）、実施の形態１の説明で述べたように、例えば、光ディスクに異なるビットレートの番組データの管理情報を記録しないことにより無効化してもよい。また、この手法により無効化された異なるビットレートの番組データがダビングの対象となった場合（Ｓ６０３でＹ）、実体的なビットレートの変換を行わず、異なるビットレートの番組データの管理情報を光ディスクに記録する。これらの情報は、ユーザに指示されたビットレートの番組データの管理情報、あるいは、録画履歴情報などから読み出される。これにより、光ディスクの異なるビットレートの番組データは有効化されることとなる。
【０１４９】
また、ユーザの指示したビットレートの番組データと同時に光ディスクに記録されるデータは１つでなくてもよく、２以上であってもよい。例えば、互いに異なる複数のビットレートを有する複数の番組データを記録してもよい。こうすることで、短時間で変換ダビングできる機会が増えることとなり、ユーザにとって記録再生装置１００の利便性が向上する。
【０１５０】
また、番組データ情報７０２の構成要素は、図８に示したものでなくてもよい。例えば、番組の内容、出演者、ジャンル情報などを含んでいてもよい。また、例えば、ユーザからアクセスできる番組データから、同時に記録されユーザからアクセスできない番組データに対してのリンク情報を含んでいてもよい。リンク情報を含ませる方法としては、例えば、第１データの番組データ情報７０２の属性７０３に、第２データの光ディスクにおけるアドレスに関する情報を含ませてもよい。
【０１５１】
また、第１データと第２データとが同時に光ディスクに記録された場合、それぞれの番組データに対応する２つの番組データ情報７０２が生成されるとした。しかしながら、１つの番組データ情報が生成されてもよい。例えば、図３に示す番組データ情報３０２における録画デバイス３０８および複写デバイス３０９のように、２つの番組データの存在する場所に関する情報を含ませておく。さらに、そのどちらがユーザからアクセス可能であるかについての情報も含ませておけばよい。
【０１５２】
このように、番組データ情報７０２のデータ構成は、図８に示すデータ構成以外でもよく、ユーザの要求、記録再生装置１００の設計上の都合などにより、必要な情報を含むようにすればよい。
【０１５３】
また、光ディスクに番組データを記録する際、光ディスクに空き容量がある場合のみユーザの指示と異なるビットレートの番組データを記録するとしたがその限りではない。
【０１５４】
例えば、光ディスクに番組データを記録する際、すでに光ディスクに記録されている番組データのタイトル等の情報と、記録を指示された番組データのタイトル等の情報とを比較する。比較の結果、それら情報の一致する番組データが光ディスクに存在する場合、その番組データのビットレートと、指示されたビットレートとを比較する。比較の結果、それらビットレートが一致する場合、指示されたビットレートで番組データを記録する必要がない。そこで、指示されたビットレートとは異なるビットレートで番組データを記録する。また、その異なるビットレートで記録された番組データは、ユーザからアクセスできないように無効化される。
【０１５５】
このように、記録を指示された番組データが、すでに指示されたビットレートで記録されていた場合、指示とは異なるビットレートで光ディスクに記録してもよい。この場合においても、指示とは異なるビットレートの番組データはユーザからは認識できないため、ユーザを困惑させることはなく、また、番組データの著作権も適切に保護することができる。
【０１５６】
また、記録再生装置１００が備える情報記録媒体として光ディスクを用いたがその限りではない。例えば、ＨＤＤや、半導体メモリでもよい。
【０１５７】
また、実施の形態２では、１つの番組データを、互いにビットレートが異なる２つの番組データとして同時に記録するとしたが、その限りではない。例えば、ビットレートではなく番組データのフォーマットが互いに異なるようにして２つの番組データを記録してもよい。例えば、ある番組データを記録する際に、ＭＰＥＧ２−ＰＳとＭＰＥＧ２−ＴＳの両方のフォーマットで番組データを記録してもよい。
【０１５８】
このように２つのフォーマットの番組データを同時に記録することで、ユーザが、番組データを記録した後、その番組データを別のフォーマットに変換する変換ダビングを行う際、短時間で変換ダビングを完了させることができる。なお、このように２つのフォーマットの番組データを同時に記録する際、ユーザに指示されたフォーマットの番組データのみユーザからアクセス可能としておけばよい。
【０１５９】
また、同様に、ビットレートとフォーマットのいずれもが異なる２つの番組データを同時に記録してもよい。
【０１６０】
また、２つの番組データを、互いに異なるビットレートまたはフォーマットで記録する場合、１つはユーザの指示によるビットレートまたはフォーマットであるとした。しかしながら、ユーザからの明示的な指示でなくてもよく、あらかじめ設定されたビットレートまたはフォーマットであってもよい。
【０１６１】
つまり、互いに異なるビットレートまたはフォーマットとは、１つは、ユーザが、光ディスクに記録された番組データのビットレートまたはフォーマットを事後的に確認した際に、ユーザが困惑することのない、または、ユーザから暗黙の了解が得られるビットレートまたはフォーマットであり、他方は、その番組データが変換ダビングされる際に、ユーザに指示されると考えられるビットレートまたはフォーマットであればよい。
【０１６２】
また、図６に示す記録再生装置１００の構成部の一部または全部は、各構成部の組み合わせにより、集積回路であるＬＳＩとして実現される場合がある。これらは、個別に１チップ化されても良いし、一部またはすべての構成部を含むように１チップ化されても良い。
【０１６３】
図１０は、実施の形態２の記録再生装置１００において、集積回路として実現される構成部の範囲の一例を示す図である。図中の点線で囲まれた範囲が集積回路として実現される構成部の範囲の一例を示す。つまり、本発明の記録再生装置は、ＬＳＩ等の集積回路として実現されてもよい。
【０１６４】
（実施の形態３）
本発明の実施の形態３として、実施の形態１の記録媒体と同様に、情報記録媒体としてＨＤＤと光ディスクの２つを備える記録再生装置について説明を行う。
【０１６５】
実施の形態３の記録再生装置１００の構成は、実施の形態１の記録再生装置１００と同じであり、図１に示すとおりである。そのため、記録再生装置１００の構成についての説明は省略する。
【０１６６】
また、実施の形態３の記録再生装置１００が、番組データを記録し、その番組データのダビングを行う際の動作も、実施の形態１の記録再生装置１００と同様であり、図２および図４に示すとおりである。また、実施の形態３の記録再生装置１００は、実施の形態１の記録再生装置１００と同じく、録画履歴情報３０１を有している。そのデータ構成も図３に示すデータ構成と同じである。
【０１６７】
しかしながら、実施の形態３の記録再生装置は、ＨＤＤおよび光ディスクに同じ番組データを同時に記録した後、光ディスクが排出される際、短時間で完了するＨＤＤ１５から光ディスクへのダビングの機会をユーザに与えるため、さらに、その光ディスクに記録されている無効化されている番組データの著作権を保護すると共に光ディスクの容量を無駄にしないための処理を行う。
【０１６８】
図１１は、実施の形態３の記録再生装置１００のディスク排出時の処理の流れの一例を示すフロー図である。なお、以下に示す各処理部の動作は、特に示す場合を除き、ＲＯＭ６等に記憶されたプログラムに基づくＣＰＵ５の制御によって行われる。
【０１６９】
パネル操作などによって、光ディスクの排出を指示された際（Ｓ８０１）、まず、録画履歴情報３０１を調査することにより、ＨＤＤ１５と光ディスクとに重複して記録され、かつ、無効化されている番組データが光ディスクにあるか否かを確認する（Ｓ８０２）。
【０１７０】
ここで、ＨＤＤ１５に存在する番組データと同じで、かつ、無効化されている番組データが光ディスクに少なくとも１つ以上存在する場合、実施の形態１の説明で述べたように、その番組データは、ＨＤＤ１５から光ディスクへのダビングを短時間で行うことが可能な状態にある。実体的なダビング処理を必要としないからである。
【０１７１】
そこで、排出を指示された光ディスクに上述の条件を満たす番組データがある場合（Ｓ８０３でＹ）、ユーザに、ＨＤＤ１５にある該当する番組データを光ディスクにダビングするか否かの確認を行う。
【０１７２】
図１２は、ユーザに、ＨＤＤ１５から光ディスクへのダビングを促すためのダビング確認画面９００の一例を示す図である。
【０１７３】
実施の形態３の記録再生装置１００は、ダビング確認画面９００をユーザに示し、光ディスクに存在する無効化されている番組データの有効化、すなわちＨＤＤ１５から光ディスクへのダビングを行うかどうかの確認を取る（Ｓ８０４）。
【０１７４】
ダビング確認画面９００には、無効化されている番組データのタイトル名等の情報が表示される。それら情報は、ＲＡＭ７に存在する録画履歴情報３０１よりＣＰＵ５によって読み出され、出力部３に送信される。さらに、出力部３によって、記録再生装置１００に接続された、図示していない表示装置にそれら情報を含む信号が出力され、ユーザはダビング確認画面９００を見ることができる。
【０１７５】
また、ダビング確認画面９００に表示される対象となる番組データは、ＨＤＤ１５および光ディスクドライブ１４に保持されている光ディスクの双方に重複して記録されている番組データである。この場合、実施の形態１の説明で述べたように、光ディスクに記録されている方の番組データはユーザからアクセスできないように、録画履歴情報３０１に記録されている。
【０１７６】
ダビング確認画面９００には、ユーザが、光ディスクへのダビングを希望する番組データを選択するためのチェックボックス９０１が表示される。図１２に示すように、「タイトルＡ」の番組データがユーザによって選択され、実行ボタン９０２がユーザのリモコン操作等により選択されたと想定する。
【０１７７】
記録再生装置１００はユーザの選択を受け付け、ＨＤＤ１５に存在する「タイトルＡ」の番組データを再生不能化し（Ｓ８０５）、録画履歴情報３０１の更新を行う（Ｓ８０６）。この場合、「タイトルＡ」の番組データ情報３０２の複写デバイス３０９に記録されていたディスクＩＤ等が削除され、録画デバイス３０８にそのディスクＩＤ等が記録される。
【０１７８】
以上の動作により、実体的なダビング処理を行うことなく、ＨＤＤ１５の「タイトルＡ」の番組データは光ディスクへダビングされたことになる。つまり、ユーザからすると短時間でダビングが完了したことになる。
【０１７９】
また、ユーザがダビングを希望しない番組データ、例えば、図１２に示すダビング確認画面９００における「タイトルＢ」および「タイトルＣ」の番組データは、他の記録再生装置においてもアクセスされることがないように、光ディスクから削除される。または、その後に再生等が可能にならないように再生不能化される。
【０１８０】
その後、録画履歴情報３０１の更新を行う。この場合、「タイトルＢ」および「タイトルＣ」の番組データ情報３０２の複写デバイス３０９に記録されていたディスクＩＤ等が削除される。
【０１８１】
以上の動作により、「タイトルＢ」および「タイトルＣ」の番組データは、光ディスクからは読み出されることがない。また、無効化された番組データを残さないようにすることで光ディスクの空き容量が無駄に消費されることを防ぐことができる。
【０１８２】
上記動作の完了後、光ディスクは排出される（Ｓ８０７）。
【０１８３】
このように、実施の形態３の記録再生装置は、光ディスクが排出される際、ユーザに、短時間で完了するＨＤＤ１５から光ディスクへのダビングの機会を与えることができる。また、ユーザがダビングを指示するか否かに関わらず、光ディスクの空き容量が無駄に消費されることを防ぐことができ、また、ＨＤＤ１５または光ディスクに記録された番組データの著作権を適切に保護することができる。
【０１８４】
なお、実施の形態３の記録再生装置１００においても、実施の形態１の説明で述べたように、光ディスクに番組データを記録する際、光ディスクに番組データの管理情報を書き込まないことにより無効化してもよい。また、この手法により無効化された番組データがダビングの対象となった場合（Ｓ８０４）、実体的なダビング処理を行わず、番組データの管理情報を光ディスクに記録する。これらの情報は、光ディスクに記録せずにＨＤＤ１５などに退避しておいた管理情報、あるいは、HDD１５にある番組データの管理情報、あるいは、録画履歴情報などから読み出される。これにより光ディスクの番組データは有効化されることとなる。一方、ＨＤＤ１５にある番組データの管理情報を削除、あるいは、光ディスクやフラッシュメモリ８などに移動させることで無効化を行う。
【０１８５】
また、ダビング確認画面９００において表示される情報は、図１２に示す情報だけに限られない。例えば、番組データのフォーマットを表示させてもよい。また、録画モードとともに、または録画モードに換えて、ビットレートの値を表示させてもよい。また、ダビングの前後でビットレート、録画モード、またはフォーマットが変更される場合、ダビング前後のビットレート、録画モード、またはフォーマットを表示させてもよい。これらの情報は、録画履歴情報から、または、ＨＤＤ１５または光ディスクに記録されている番組データから記録再生制御部１３が抽出して表示させればよい。
【０１８６】
また、上述の光ディスクの排出時の処理は、実施の形態２の記録再生装置１００において実施することもできる。
【０１８７】
つまり、光ディスクに、互いにビットレートの異なる、同一内容の番組データが２つ存在する場合、つまり、実施の形態２の説明の中でのべた第１データと第２データとが存在する場合を想定する。この想定下において、光ディスクの排出が指示された場合、ユーザに対し、変換ダビングを行うか否かの確認を行う。ユーザがダビングを指示した場合、第２データを有効化し、第１データを再生不能化する。ユーザがダビングを指示しなかった場合は、第２データを再生不能化する。これらの動作の後、再生不能化された番組データに対応する番組データ情報７０２を削除する。
【０１８８】
上記動作の完了後、光ディスクが排出される。
【０１８９】
この場合においても、上述の実施の形態３の記録再生装置と同様に、光ディスクが排出される際、ユーザに、短時間で完了する光ディスク内でのダビングの機会を与えることができる。また、ユーザがダビングを指示するか否かに関わらず、光ディスクの空き容量が無駄に消費されることを防ぐことができ、また、ＨＤＤ１５または光ディスクに記録された番組データの著作権を適切に保護することができる。
【０１９０】
また、ユーザにＨＤＤ１５および光ディスク、または光ディスクのみに重複して記録された番組データがある場合、ユーザにそれら番組データのダビングを確認するのは、光ディスクが排出される際でなくてもよい。つまり、光ディスクが排出され、再度、記録再生装置に装着された後に、ユーザにダビングの確認を行ってもよい。つまり、光ディスクが排出され、再度、記録再生装置に装着された後においても、短時間で完了する光ディスク内でのダビングの機会を与えることができる。また、ＨＤＤ１５または光ディスクに記録された番組データの著作権を適切に保護することができる。
【０１９１】
例えば、光ディスクが排出される際に、録画履歴情報にユーザがアクセス不可である番組データとして記録されている番組データが存在する場合、後に、記録再生装置１００でのみ有効化が可能となるように、記録再生装置１００でのみ認識可能で他の機器では認識不可能な状態にしておく。例えば、番組データのファイル名に付された拡張子を、番組データと認識できない拡張子に変更することで認識不能化する。
【０１９２】
この場合、変更前と変更後の拡張子を対応付けて記録再生装置が不揮発メモリ１７などに記録しておく。その後、光ディスクが装着された際に、変更後の拡張子をファイル名に有する番組データが存在する場合、その番組データのファイル名を元の番組データの拡張子に戻す。
【０１９３】
こうすることで、他の記録再生装置においては、拡張子が変更されたファイル名を有する番組データは、番組データとして認識されないため、正常にアクセスされることはない。つまり、その番組データの著作権は適切に保護される。また、その番組データが存在する光ディスクが再度、記録再生装置１００に装着された場合は、無効化された番組データであると認識され、再び、短時間に完了するダビングの機会をユーザに与えることができる。
【０１９４】
また、例えば、光ディスクに存在する、番組データを管理するための情報であるコンテンツ管理情報（ＩＦＯ）に無効を示す情報を記録することで、他の記録再生装置において再生等の操作がされないようにしてもよい。例えば、視聴許可フラグを規定し、"１"であれば許可、"０"であれば不許可であるとする。光ディスクを排出する際に、録画履歴情報にユーザがアクセス不可である番組データとして記録されている番組データが存在する場合、その番組データに対応するＩＦＯに視聴許可フラグとして"０"を設定する。
【０１９５】
また、その光ディスクが、再度、記録再生装置１００に装着された場合、光ディスクに記録された番組データへのユーザからのアクセスの可否は、録画履歴情報を参照し決定する。
【０１９６】
これにより、他の記録再生装置ではその番組データは番組データと認識されないデータであり再生されることはない。また、記録再生装置１００に、再度、その光ディスクが装着された場合は、ユーザに、短時間に完了するダビングの機会をユーザに与えることができる。
【０１９７】
また、上記の視聴許可フラグの意味づけを拡張し、"０"であればユーザからのアクセスは"不許可"であり、かつ、データとして"不可視"であると規定してもよい。ここで、番組データが不可視であるということは、その番組データの記録容量は、他の記録再生装置においては上書き可能な領域として認識され、ユーザからは空き容量として認識されることを意味する。
【０１９８】
こうすることで、他の記録再生装置に光ディスクが装着された場合、視聴許可フラグが"０"とされた番組データが記録されている領域は、上書き可能な記録領域であると認識される。そのため、なんらかのデータをその光ディスクに記録する場合、必要に応じ、その番組データを削除し、空き領域とすることで使用することができる。
【０１９９】
また、記録再生装置１００においては、録画履歴情報に、番組データの記録を行った光ディスクのディスクＩＤが、その番組データを特定する情報とともに記録されている。そのため、光ディスクが記録再生装置１００に装着された場合、その光ディスクの番組データが記録再生装置１００において記録されたものか否かの確認ができる。また、その光ディスクに記録されている番組データの中で、記録再生装置１００によって記録された番組データを特定することができる。
【０２００】
従って、光ディスクが記録再生装置１００に装着された場合、その光ディスクが記録再生装置１００において番組データの記録が行われた光ディスクであるとする。この場合、記録再生装置１００において録画された番組データについては、視聴許可フラグの規定を無視し、録画履歴情報を参照する。これにより、その録画履歴情報から、その光ディスクに記録されている番組データへのユーザからのアクセスの可否を決定することができる。また、ユーザに、短時間に完了するダビングの機会をユーザに与えることができる。なお、上述の、識別子やＩＦＯを加工することによる、番組データの認識不能化および認識可能化のそれぞれは、本発明の記録再生装置における再生不能化および再生可能化の一例である。
【０２０１】
例えば、光ディスクとしてＢｌｕ−ｒａｙディスクを用いた場合、上述のように、記録再生装置１００でのみ再生可能化されるように再生不能化する方法について以下に例示する。
【０２０２】
図１３は、Ｂｌｕ−ｒａｙディスク内のファイル構造を示す図である。
【０２０３】
図１３に示すように、Ｂｌｕ−ｒａｙディスクにおいては、ＢＶＡＶディレクトリ５０がルートディレクトリである。また、ｓｔｒｅａｍディレクトリ５３内に存在する０１０００．ｍ２ｔｓおよび０２０００．ｄｖｓｄは番組データである。拡張子「．ｍ２ｔｓ」はＭＰＥＧ２−ＴＳのフォーマットであることを示し、拡張子「．ｄｖｓｄ」はＤＶ（Digital Video）ストリームのフォーマットであることを示す。
【０２０４】
また、ＢＶＡＶディレクトリ５０の直下に存在するｉｎｆｏ．ｂｄａｖは、ディレクトリ全体の管理情報が記録されたファイルであり、ＰＬＡＹＬＩＳＴディレクトリ５１およびＣＬＩＰＩＮＦディレクトリ５２は、それぞれ、番組データへのランダムアクセスや特殊再生に利用されるファイルが格納されているディレクトリである。
【０２０５】
例えば、記録再生装置１００が、Ｂｌｕ−ｒａｙディスクを排出する際に、番組データである"０１０００．ｍ２ｔｓ"の拡張子を変更し、"０１０００．＊＊＊＊"とする。また、必要に応じ、ｉｎｆｏ．ｂｄａｖを更新する。さらに、これら変更内容を不揮発メモリ１７等に記憶しておく。
【０２０６】
こうすることで、このＢｌｕ−ｒａｙディスクが他の記録再生装置に装着された場合、"０１０００．＊＊＊＊"は番組データとは認識されず、再生されることはない。また、このＢｌｕ−ｒａｙディスクが記録再生装置１００に装着された場合、不揮発メモリ１７等に記憶されている変更内容に基づき、Ｂｌｕ−ｒａｙディスクに加えた変更を元に戻すことにより、"０１０００．ｍ２ｔｓ"を番組データと認識できる。その後、録画履歴情報を参照し、ユーザに、短時間に完了するダビングの機会をユーザに与えることができる。
【０２０７】
また、Ｂｌｕ−ｒａｙディスクに、別の変更手段を加えることにより、記録再生装置１００でのみ正しく番組データを認識できるようにしてもよい。
【０２０８】
例えば、番組データ自体を、ＳＴＲＥＡＭディレクトリ以外のディレクトリに置いてもよい。また、ｉｎｆｏ．ｂｄａｖの記録内容の一部に変更を加えることにより、特定の番組データを番組データとして認識できないように変更してもよい。また、これら変更内容を示す情報を暗号化し、Ｂｌｕ−ｒａｙディスクの所定の場所に記録してもよい。この場合、変更内容、暗号化された変更内容を示す情報を複合するための鍵情報等を、不揮発メモリ１７等に記憶しておけばよい。
【０２０９】
このように、記録再生装置１００は、光ディスクが排出される際に、ＨＤＤ１５および光ディスク、または光ディスク内で重複して記録されている番組データについては、他の記録再生装置において番組データとして認識できない状態にすることができる。
【０２１０】
また、その光ディスクが記録再生装置に再び装着された際、その光ディスクの番組データが、記録再生装置１００によって記録されたものであるか否かの確認をすることができる。さらに、光ディスクに、記録再生装置１００によって番組データとして認識できない状態にされた番組データが存在する場合、記録再生装置１００は、その番組データを正しく認識することができる。これにより、その正しく認識された番組データを対象とした、短時間に完了するダビングの機会をユーザに与えることができる。
【０２１１】
従って、ユーザが、光ディスクの排出時に、ダビングをするか否かを決定しかねる場合であっても、ユーザは気兼ねなくディスクを排出することができる。
【０２１２】
また、光ディスクに存在する、無効化されている番組データをユーザに確認させることなく所定のルールに従って再生不能化してもよい。例えば、光ディスクに、無効化されたまま記所定の期間が経過した番組データは、光ディスクから削除するとしてもよい。
【０２１３】
また、例えば、ユーザが光ディスクに新たに番組データを記録しようとした場合、光ディスクの空き容量が不足している際、ユーザがアクセスできない番組データを削除するとしてもよい。
【０２１４】
なお、上記の光ディスクに対する処理等は、実施の形態１または２のいずれの記録再生装置１００であっても実施可能である。また、実施の形態３の記録再生装置１００のように、光ディスクの排出時に番組データのダビングを確認する場合であっても、ダビングの指示がされなかった番組データについて、再度、その光ディスクが装着された後にダビングができるように光ディスクに変更等を加えてもよい。
【０２１５】
また、実施の形態１〜３の記録再生装置１００においてＨＤＤ１５等の記録媒体に記録される情報は番組データであるとした。しかしながら、番組データ以外の情報でもよく、例えば、ＭＰ３（MPEG Audio Layer-3）のような音声データでもよい。つまり、本発明の記録再生装置において、記録およびダビングの対象とする情報は、記録媒体に記録可能な情報であればよい。
【０２１６】
また、実施の形態１〜３の記録再生装置１００において、記録媒体として、ＨＤＤ１５または光ディスクの少なくとも一方を備えるとした。しかしながら、記録再生装置１００は記録媒体を備える必要なはい。例えば、外部機器としてＨＤＤ１５または光ディスクドライブ１４が存在し、それら機器と記録再生装置１００とが接続されていてもよい。
【産業上の利用可能性】
【０２１７】
本発明にかかる記録再生装置は、情報をダビングする装置及び方法に適用できる。特に、放送番組等のコンテンツを記録再生するＤＶＤレコーダ、ハードディスクレコーダ、Ｂｌｕ−ｒａｙディスクレコーダとして有用である。
【図面の簡単な説明】
【０２１８】
【図１】図１は、実施の形態１および３の記録再生装置の構成の一例を示す図
【図２】図２は、実施の形態１の記録再生装置における録画処理の流れの一例を示すフロー図
【図３】図３は、実施の形態１の録画履歴情報および番組データ情報のデータ構成の一例を示す図
【図４】図４は、実施の形態１の記録再生装置における、ダビング処理の流れの一例を示すフロー図
【図５】図５は、実施の形態１の記録再生装置において、集積回路として実現される構成部の範囲の一例を示す図
【図６】図６は、実施の形態２の記録再生装置の構成の一例を示す図
【図７】図７は、実施の形態２の記録再生装置における録画処理の流れの一例を示すフロー図
【図８】図８は、実施の形態２の録画履歴情報および番組データ情報のデータ構成の一例を示す図
【図９】図９は、実施の形態２の記録再生装置における、変換ダビングの処理の流れの一例を示すフロー図
【図１０】図１０は、実施の形態２の記録再生装置において、集積回路として実現される構成部の範囲の一例を示す図
【図１１】図１１は、実施の形態３の記録再生装置のディスク排出時の処理の流れの一例を示すフロー図
【図１２】図１２は、ユーザに、ＨＤＤから光ディスクへのダビングを指示させるためのダビング確認画面の一例を示す図
【図１３】図１３は、Ｂｌｕ−ｒａｙディスク内のファイル構造を示す図
【符号の説明】
【０２１９】
１  バス
２  ライン入力部
３  出力部
４  チューナ制御部
５  ＣＰＵ
６  ＲＯＭ
７  ＲＡＭ
８  フラッシュメモリ
９  ユーザ入力制御部
１０  パネル制御部
１１  エンコーダ
１２  デコーダ
１３  記録再生制御部
１４  光ディスクドライブ
１５  ＨＤＤ
１６  バッファメモリ
１７  不揮発メモリ
１００  記録再生装置
３０１、７０１  録画履歴情報
３０２、７０２  番組データ情報
３０３  タイトル名
３０４  チャンネル
３０５  録画日
３０６  録画モード
３０７  総時間
３０８  録画デバイス
３０９  複写デバイス
７０３  属性
【図１】
0004246767.tif 000002
【図２】
0004246767.tif 000003
【図３】
0004246767.tif 000004
【図４】
0004246767.tif 000005
【図５】
0004246767.tif 000006
【図６】
0004246767.tif 000007
【図７】
0004246767.tif 000008
【図８】
0004246767.tif 000009
【図９】
0004246767.tif 000010
【図１０】
0004246767.tif 000011
【図１１】
0004246767.tif 000012
【図１２】
0004246767.tif 000013
【図１３】
0004246767.tif 000014